(57)【特許請求の範囲】
【請求項１】
サーバ装置と、当該サーバ装置と通信回線を介して相互に交信可能な情報発信者の情報発信者端末及び、当該サーバ装置と通信回線を介して相互に交信可能で、前記情報発信者の情報発信者端末から発信された連絡情報を前記サーバ装置を介して取得する複数の情報受信者の情報受信者端末とからなり、
前記サーバ装置は、
複数の情報受信者に対してそれぞれ割り当てられている当該情報受信者を特定する情報受信者識別情報を、当該複数の情報受信者を対象として情報を発信する情報発信者を特定する情報発信者識別情報に関連付けて利用者情報記憶部に記録する情報受信者情報記録手段と、
情報取得部で情報受信者の情報受信者端末から通信回線を介して情報受信者識別情報が付帯された登録要請情報を取得したときに、前記利用者情報記憶部に記録されている情報を参照して認証を行い、当該情報受信者端末に対して通信回線を介してサービス開始情報を送信する情報受信者識別情報確認手段と、
情報取得部で情報発信者の情報発信者端末から通信回線を介して取得した連絡情報を、当該情報発信者を特定する情報発信者識別情報に関連付けて待機連絡情報として連絡情報記憶部に記録する連絡情報記録手段と、
情報取得部で情報受信者の情報受信者端末から通信回線を介して待機連絡情報問い合わせ情報を取得したときに、当該待機連絡情報問い合わせ情報を送信してきた情報受信者の情報受信者端末に、当該待機連絡情報問い合わせ情報に付帯されている前記情報受信者を特定する情報受信者識別情報と、前記利用者情報記憶部、連絡情報記憶部に記録されている情報を利用して、当該待機連絡情報問い合わせ情報を通信回線を介して送信してきた情報受信者に送信する待機連絡情報を、前記通信回線を介して前記情報受信者端末へ送信する連絡情報送信出力部と、
を備えており、
前記情報受信者の情報受信者端末は、前記サーバ装置からサービス開始情報を取得したときに、前記情報受信者識別情報を、当該情報受信者端末の記憶部に記録する情報受信者識別情報登録処理部を備えて
いることを特徴とする携帯端末を利用した連絡網システム。
【請求項２】
前記サーバ装置は、
前記連絡情報記憶部に記録されている待機連絡情報について、当該待機連絡情報に関連付けられて記録されている情報発信者が情報を発信する対象としている複数の情報受信者の中で、当該待機情報の配信を受けた情報受信者を記録する待機情報取得受信者情報生成部を
更に、備えていることを特徴とする請求項１記載の携帯端末を利用した連絡網システム。
【請求項３】
情報発信者の情報発信者端末から通信回線を介して取得し、連絡情報記憶部に記録可能な連絡情報は、そのデータ量があらかじめ定めた量を越えないように制限されていることを特徴とする請求項１又は２記載の携帯端末を利用した連絡網システム。
【請求項４】
情報受信者の情報受信者端末は、あらかじめ定められている時間ごとに、前記サーバ装置に対して、通信回線を介して、待機連絡情報問い合わせ情報を発信する待機連絡情報問い合わせ処理部を備えていることを特徴とする請求項１乃至３のいずれか一項記載の携帯端末を利用した連絡網システム。
【請求項５】
情報受信者の情報受信者端末は、待機連絡情報問い合わせ処理部を起動状態または非起動状態に切り替えると共に、起動状態の場合に、前記待機連絡情報問い合わせ情報を発信する時間間隔を調整する待機連絡情報問い合わせ手段制御部を更に備えていることを特徴とする請求項４記載の携帯端末を利用した連絡網システム。
【請求項６】
情報受信者の情報受信者端末は、通信回線を介して、前記サーバ装置から待機連絡情報を取得した際に、待機連絡情報を受信したことを通知する待機連絡情報受信報知処理部を備えていることを特徴とする請求項１乃至５のいずれか一項記載の携帯端末を利用した連絡網システム。
【請求項７】
サーバ装置は、
前記情報受信者識別情報確認手段が前記サービス開始情報を情報受信者の情報受信者端末へ送信する際に、コンピュータを、前記サーバ装置からサービス開始情報を取得したときに、前記情報受信者識別情報を、当該情報受信者端末の記憶部に記録する処理を行う手段、あらかじめ定められている時間ごとに、前記サーバ装置に対して、無線のネットワークを介して、待機連絡情報問い合わせ情報を発信する処理を行う手段、待機連絡情報問い合わせ情報を発信する処理を行う手段を起動状態または非起動状態に切り替えると共に、起動状態の場合に、前記待機連絡情報問い合わせ情報を発信する時間間隔を調整する処理を行う手段、無線のネットワークを介して前記サーバ装置から待機連絡情報を取得した際に待機連絡情報を受信したことを通知する処理を行う手段として機能させるためのプログラムを、当該サービス開始情報に付帯させるアプリケーションプログラム送信手段を
更に備えていることを特徴とする請求項１乃至６のいずれか一項記載の携帯端末を利用した連絡網システム。
【発明の詳細な説明】
【技術分野】
【０００１】
この発明は、通信回線（例えば、インターネット、等の有線及び／又は無線のネットワーク）を利用して、一つの情報発信者（例えば、小学校、中学校のような教育機関や、企業など）から複数の情報受信者（例えば、小学校、中学校のような教育機関で教育を受けている生徒や、その保護者、企業で働く従業員）などに連絡をすることに適した携帯端末を利用した連絡網システムに関する。特に、携帯電話のような携帯端末を利用しているにもかかわらず、複数の情報受信者がその携帯端末のメールアドレス、等の個人情報を外部に知らせることなしに連絡網を構築できる携帯端末を利用した連絡網システムに関する。
【背景技術】
【０００２】
従来、携帯電話のような携帯端末と、通信回線（例えば、インターネット、等の有線及び／又は無線のネットワーク）を利用して、一つの情報発信者（例えば、小学校、中学校のような教育機関や、企業など）から、前記携帯電話のような携帯端末を所有している複数の情報受信者（例えば、小学校、中学校のような教育機関で教育を受けている生徒や、その保護者、企業で働く従業員など）に、同一内容の情報（例えば、連絡情報）を一斉に知らせる携帯端末を利用した連絡網システムを構築する場合には、連絡情報を受け取る複数の情報受信者が所持している携帯電話などの携帯端末にて情報を取得するために必要な個人情報、例えば、携帯電話の電話番号や、メールアドレスを情報発信者の下にあらかじめ集約しておくことが必要であった。
【０００３】
このため、情報受信者としては、個人情報が漏洩してしまう危険を感じざるを得ず、一方、情報発信者は、携帯電話の電話番号や、メールアドレスといった、預かっている個人情報の管理に重大な注意を払わざるを得ないという問題があった。
【０００４】
また、通信回線（例えば、インターネット、等の有線及び／又は無線のネットワーク）と、情報受信者が所持している携帯電話、等の形態端末を利用してメールにて情報を連絡する場合、発信者側で発信したメールが受信者側に着信するまでに長時間を要することがあった。これは、ときには、１日以上を要することもあり、災害時などのように多量のメールが形態に送られるときには重大な問題になっていた。これは、インターネットから、携帯電話にメールを送る携帯電話用のメールサーバーまでの間にゲートサーバーが存在し、ここで、回線が込み合った場合に送信に長時間を要することになるからである。
【０００５】
前述したように、一つの情報発信者から、前記携帯電話のような携帯端末を所有している複数の情報受信者に、同一内容の情報を一斉に知らせる、携帯端末を利用した連絡網システムであって、連絡情報を受け取る複数の情報受信者が所持している携帯電話などの携帯端末で情報を取得するために必要な個人情報、例えば、携帯電話の電話番号や、メールアドレスを情報発信者の下にあらかじめ集約する必要のない携帯端末を利用した連絡網システムについては、従来、提案されていなかった。
【特許文献１】特開２００３−７８５９０
【発明の開示】
【発明が解決しようとする課題】
【０００６】
この発明は、通信回線（例えば、インターネット、等の有線及び／又は無線のネットワーク）を利用して、一つの情報発信者（例えば、小学校、中学校のような教育機関や、企業など）から、複数の情報受信者（例えば、小学校、中学校のような教育機関で教育を受けている生徒や、その保護者、企業で働く従業員など）に、同一内容の情報を、一斉に知らせ、連絡をすることに適した携帯端末を利用した連絡網システムであって、特に、携帯電話のような携帯端末を利用しているにもかかわらず、複数の情報受信者がその携帯端末のメールアドレス、等の個人情報を外部に知らせることなしに連絡網を構築できる携帯端末を利用した連絡網システムを提供することを目的にしている。
【０００７】
更に、この発明は、前記のような携帯端末を利用した連絡網システムであって、なおかつ、情報発信者が発信した情報を情報受信者が取得するまでに長時間を要する必要がなく、情報受信者が情報発信者によって発信されている情報を取得したかどうかを情報発信者が確認することのできる携帯端末を利用した連絡網システムを提供することを目的にしている。
【課題を解決するための手段】
【０００８】
この発明は、一つの情報発信者から複数の情報受信者に通知、連絡される連絡情報の取得を希望する情報受信者に対して、当該情報受信者を特定する情報受信者識別情報と、当該情報受信者識別情報に関連付けられて記録されている情報発信者識別情報、情報発信者識別情報に関連付けられて記録されている待機連絡情報を利用して所定の連絡情報を送る携帯端末を利用した連絡網システムを構築することにより前記目的を解決したのである。
【０００９】
すなわち、前記目的を解決するため、この発明が提案する携帯端末を利用した連絡網システムは、サーバ装置と、当該サーバ装置と通信回線（例えば、インターネット、等の有線及び／又は無線のネットワーク）を介して相互に交信可能な情報発信者の情報発信者端末及び、当該サーバ装置と通信回線（例えば、インターネット、等の有線及び／又は無線のネットワーク）を介して相互に交信可能で、前記情報発信者の情報発信者端末から発信された連絡情報を、前記サーバ装置を介して取得する複数の情報受信者の情報受信者端末とから構成されている。
【００１０】
そして、コンピュータからなる前記のサーバ装置は、以下に説明する情報受信者情報記録手段と、情報受信者識別情報確認手段と、連絡情報記録手段と、連絡情報送信出力部とを備えているものである。
【００１１】
ここで、情報受信者情報記録手段は、複数の情報受信者に対してそれぞれ割り当てられている当該情報受信者を特定する情報受信者識別情報を、当該複数の情報受信者を対象として情報を発信する情報発信者を特定する情報発信者識別情報に関連付けて利用者情報記憶部に記録する処理動作を行うコンピュータの処理動作部である。
【００１２】
情報受信者識別情報確認手段は、コンピュータからなる前記のサーバ装置の情報取得部で情報受信者の情報受信者端末から通信回線を介して情報受信者識別情報が付帯された登録要請情報を取得したときに、前記利用者情報記憶部に記録されている情報を参照して認証を行い、当該情報受信者端末に対して通信回線を介してサービス開始情報を送信する処理動作を行うコンピュータの処理動作部である。
【００１３】
連絡情報記録手段は、コンピュータからなる前記のサーバ装置の情報取得部で情報発信者の情報発信者端末から通信回線を介して取得した連絡情報を、当該情報発信者を特定する情報発信者識別情報に関連付けて待機連絡情報として連絡情報記憶部に記録する処理動作を行うコンピュータの処理動作部である。
【００１４】
連絡情報送信出力部は、コンピュータからなる前記のサーバ装置の情報取得部で情報受信者の情報受信者端末から通信回線を介して待機連絡情報問い合わせ情報を取得したときに、当該待機連絡情報問い合わせ情報を送信してきた情報受信者の情報受信者端末に、当該待機連絡情報問い合わせ情報に付帯されている前記情報受信者を特定する情報受信者識別情報と、前記利用者情報記憶部、連絡情報記憶部に記録されている情報を利用して、当該待機連絡情報問い合わせ情報を通信回線を介して送信してきた情報受信者に送信する待機連絡情報を、前記通信回線を介して前記情報受信者端末へ送信する処理動作を行うコンピュータの処理動作部である。
【００１５】
以上説明した本発明の携帯端末を利用した連絡網システムによれば、通信回線（例えば、インターネット、等の有線及び／又は無線のネットワーク）を利用して、一つの情報発信者から、複数の情報受信者に、同一内容の情報（例えば、連絡情報）を、一斉に知らせ、連絡をする場合であっても、複数の情報受信者に対してそれぞれ割り当てられている当該情報受信者を特定する情報受信者識別情報と、当該複数の情報受信者を対象として情報を発信する情報発信者を特定する情報発信者識別情報とが、関連付けられて記録され、又、一つの情報発信者から複数の情報受信者に通知、連絡される同一内容の情報（例えば、連絡情報）は当該情報発信者を特定する情報発信者識別情報に関連付けられて待機連絡情報として記録され、更に、前記の一つの情報発信者から複数の情報受信者に通知、連絡される同一内容の情報（例えば、連絡情報）の取得を希望する情報受信者に対しては、当該情報受信者を特定する情報受信者識別情報と、当該情報受信者識別情報に関連付けられて記録されている情報発信者識別情報、情報発信者識別情報に関連付けられて記録されている待機連絡情報を利用して所定の連絡情報（待機連絡情報）が送られるようになるので、携帯電話のような携帯端末を利用して連絡網システムを構築しても、複数の情報受信者がその携帯端末のメールアドレス、等の個人情報を外部に知らせることなしに連絡網を構築することができる。
【００１６】
また、インターネットから、携帯電話にメールを送る携帯電話用のメールサーバーまでの間にゲートサーバーが存在し、ここで、回線が込み合った場合に送信に長時間を要することになる従来の方式に比較すると、ゲートサーバーが存在しないので、通信回線（例えば、インターネット、等の有線及び／又は無線のネットワーク）を利用して携帯電話のような携帯端末に連絡を送るにもかかわらず、送信に長時間を要するようなことがなくなる。
【００１７】
前述した本発明の携帯端末を利用した連絡網システムにおいて、前記サーバ装置は、コンピュータの処理動作部であって、前記連絡情報記憶部に記録されている待機連絡情報について、当該待機連絡情報に関連付けられて記録されている情報発信者が情報を発信する対象としている複数の情報受信者の中で、当該待機連絡情報の配信を受けた情報受信者を記録する処理動作を行う、待機情報取得受信者情報生成部を、更に、備えている構成にすることができる。
【００１８】
かかる処理動作を行う待機情報取得受信者情報生成部が存在することにより、待機連絡情報の配信を受けた情報受信者を把握することができる。そこで、待機連絡情報の配信を希望した情報発信者は、前記サーバ装置にアクセスして、複数の情報受信者の中の誰がまだ情報を受信していないか、だれに情報が配信されたのかを把握することができる。
【００１９】
なお、前述した本発明の携帯端末を利用した連絡網システムにおいて、情報発信者の情報発信者端末から通信回線を介して取得し、連絡情報記憶部に記録可能な連絡情報は、そのデータ量があらかじめ定めた量を越えないように制限されている構成にすることができる。
【００２０】
そして、前記サーバ装置は、コンピュータの処理動作部であって、前記連絡情報を送信してきた情報発信者から取得した、連絡情報を取得する情報受信者が情報取得のためにアクセスするアクセス先に関する情報を記録する処理を行う大容量データ取得先情報記録手段を、更に、備えている構成にすることができる。
【００２１】
例えば、１００文字以内程度の短い連絡情報の場合は、その全文を待機連絡情報として記録しておくことにより、情報受信者が一回のアクセスで連絡情報の全てを取得できるようにするものである。
【００２２】
また、データ量があらかじめ定めた量を越えている場合、例えば、１００文字程度を超える文字情報の場合、や画像情報などを含む場合には、連絡情報を取得する情報受信者が情報取得のためにアクセスするアクセス先に関する情報（例えば、ウェブサイトのＵＲＬ、など）を、情報発信者が提供し、大容量データ取得先情報記録手段前記の処理動作を行うことにより、連絡情報を取得する情報受信者は前記のアクセス先に関する情報（例えば、ウェブサイトのＵＲＬ、など）を利用して、指定された別のウェブサイトに自動的にアクセスさせる等により、情報発信者が配信を希望していた連絡情報を取得することが可能になる。
【００２３】
なお、以上に説明している携帯端末を利用した連絡網システムにおいて、情報受信者の情報受信者端末は、コンピュータの処理動作部であって、前記サーバ装置からサービス開始情報を取得したときに、前記情報受信者識別情報を、当該情報受信者端末の記憶部に記録する処理動作を行う情報受信者識別情報登録処理部を備えている構成にすることができる。
【００２４】
かかる情報受信者識別情報登録処理部は、前述したように、情報受信者識別情報などのみを利用して、情報受信者がその携帯端末のメールアドレス、等の個人情報を外部に知らせることなしに連絡網を構築することを可能ならしめる本発明の携帯端末を利用した連絡網システムを実現するために、情報受信者の情報受信者端末（例えば、携帯電話）が備えているものである。
【００２５】
また、以上に説明している携帯端末を利用した連絡網システムにおいて、情報受信者の情報受信者端末は、コンピュータの処理動作部であって、あらかじめ定められている時間ごとに、前記サーバ装置に対して、通信回線を介して、待機連絡情報問い合わせ情報を発信する処理動作を行う待機連絡情報問い合わせ処理部を備えている構成にすることができる。
【００２６】
これによって、情報受信者の情報受信者端末（例えば、携帯電話）から、あらかじめ定められている時間ごとに、自動的に、前記サーバ装置に対して、通信回線を介して、待機連絡情報問い合わせ情報が発信されるので、前記サーバ装置に当該情報受信者に対して送信すべき待機連絡情報が存在している場合には、前述した連絡情報送信出力部が行う処理動作によって、当該情報受信者の情報受信者端末は、取得すべき待機連絡情報を前記サーバ装置から取得することができる。
【００２７】
そして、この場合、情報受信者の情報受信者端末は、コンピュータの処理動作部であって、前述した待機連絡情報問い合わせ処理部を起動状態または非起動状態に切り替えると共に、起動状態の場合に、前記待機連絡情報問い合わせ情報を発信する時間間隔を調整する処理動作を行う待機連絡情報問い合わせ手段制御部を、更に、備えている構成にすることができる。
【００２８】
これによって、情報受信者は、前述した自動的な確認（すなわち、サーバ装置に対して通信回線を介して待機連絡情報問い合わせ情報を定期的に、かつ、自動的に送信する確認行為）を停止し、手動によってのみ、待機連絡情報が存在しているかどうかを確認するように切り替えることができる。
【００２９】
また、昼間帯、夜間帯で前述した自動の定期確認動作（すなわち、サーバ装置に対して通信回線を介して待機連絡情報問い合わせ情報を定期的に、かつ、自動的に送信する確認行為）を行う間隔を調整することができる。
【００３０】
更に、情報受信者の情報受信者端末は、コンピュータの処理動作部であって、通信回線を介して、前記サーバ装置から待機連絡情報を取得した際に、待機連絡情報を受信したことを通知する（例えば、音声や、携帯電話の液晶画面に画像表示する、等して通知する）処理動作を行う待機連絡情報受信報知処理部を備えている構成にすることができる。
【００３１】
これによれば、情報受信者の情報受信者端末が待機連絡情報を取得したことが直ちに表示されるので、情報受信者がより迅速に待機連絡情報の存在に気付くことができる。
【００３２】
以上説明した本発明の携帯端末を利用した連絡網システムは、コンピュータからなるサーバ装置におけるＣＰＵなどの演算処理部が、ＲＯＭなどの記憶部に記録されている所定のコンピュータプログラムの下に、前述した情報受信者情報記録手段、情報受信者識別情報確認手段、連絡情報記録手段、連絡情報送信出力部、待機情報取得受信者情報生成部、大容量データ取得先情報記録手段が行う各処理動作を実行し、また、情報受信者の情報受信者端末（例えば、携帯電話）に配備されているＣＰＵなどの演算処理部が、同じく情報受信者端末（例えば、携帯電話）に配備されているＲＯＭなどの記憶部に記録されている所定のコンピュータプログラムの下に、前述した情報受信者識別情報登録処理部、待機連絡情報問い合わせ処理部、待機連絡情報問い合わせ手段制御部、待機連絡情報受信報知処理部が行う各処理動作を実行することによって実現されるものである。
【００３３】
そこで、情報受信者の情報受信者端末（例えば、携帯電話）に配備されているＣＰＵなどの演算処理部に、前述した情報受信者識別情報登録処理部、待機連絡情報問い合わせ処理部、待機連絡情報問い合わせ手段制御部、待機連絡情報受信報知処理部が行う各処理動作を実行させるべく、情報受信者端末（例えば、携帯電話）に配備されているＲＯＭなどの記憶部に記録される所定のコンピュータプログラム（アプリケーションプログラム）は、通信回線を介して、情報受信者の情報受信者端末（例えば、携帯電話）が、サーバ装置から取得する形態にすることができる。
【００３４】
すなわち、以上に説明した本発明の携帯端末を利用した連絡網システムは、コンピュータからなるサーバ装置におけるＣＰＵなどの演算処理部が、ＲＯＭなどの記憶部に記録されている所定のコンピュータプログラムの下に以下の処理動作を行うことによって実現されるアプリケーションプログラム送信手段を、前記サーバ装置が、更に、備えている構成にすることができる。
【００３５】
ここで、アプリケーションプログラム送信手段が行う処理動作は、前記情報受信者識別情報確認手段が前記サービス開始情報を情報受信者の情報受信者端末へ送信する際に、情報受信者の情報受信者端末（例えば、携帯電話）に配備されているＣＰＵなどの演算処理部に、前述した情報受信者識別情報登録処理部、待機連絡情報問い合わせ処理部、待機連絡情報問い合わせ手段制御部、待機連絡情報受信報知処理部が行う各処理動作を実行させるべく、情報受信者端末（例えば、携帯電話）に配備されているＲＯＭなどの記憶部に記録される所定のコンピュータプログラム（アプリケーションプログラム）を当該サービス開始情報に付帯させる処理動作である。
【００３６】
そして、前記のコンピュータプログラム（アプリケーションプログラム）は、コンピュータを、前記サーバ装置からサービス開始情報を取得したときに、前記情報受信者識別情報を、当該情報受信者端末の記憶部に記録する処理を行う手段、あらかじめ定められている時間ごとに、前記サーバ装置に対して、無線のネットワークを介して、待機連絡情報問い合わせ情報を発信する処理を行う手段、待機連絡情報問い合わせ情報を発信する処理を行う手段を起動状態または非起動状態に切り替えると共に、起動状態の場合に、前記待機連絡情報問い合わせ情報を発信する時間間隔を調整する処理を行う手段、無線のネットワークを介して前記サーバ装置から待機連絡情報を取得した際に待機連絡情報を受信したことを通知する処理を行う手段として機能させるためのプログラムである。
【発明の効果】
【００３７】
この発明によれば、通信回線（例えば、インターネット、等の有線及び／又は無線のネットワーク）を利用して、一つの情報発信者（例えば、小学校、中学校のような教育機関や、企業など）から、複数の情報受信者（例えば、小学校、中学校のような教育機関で教育を受けている生徒や、その保護者、企業で働く従業員など）に、同一内容の情報を、一斉に知らせ、連絡をすることに適した携帯端末を利用した連絡網システムであって、特に、携帯電話のような携帯端末を利用しているにもかかわらず、複数の情報受信者がその携帯端末のメールアドレス、等の個人情報を外部に知らせることなしに連絡網を構築できる携帯端末を利用した連絡網システムを提供できる。
【００３８】
また、この発明によれば、前記のような携帯端末を利用した連絡網システムであって、なおかつ、情報発信者が発信した情報を情報受信者が取得するまでに長時間を要する必要がなく、情報受信者が情報発信者によって発信されている情報を取得したかどうかを情報発信者が確認することのできる携帯端末を利用した連絡網システムを提供することができる。
【発明を実施するための最良の形態】
【００３９】
以下、添付図面を参照して本発明の好ましい実施形態を説明する。
【００４０】
この発明の携帯端末を利用した連絡網システムは、図１図示のように、コンピュータからなるサーバ装置１と、サーバ装置１と通信回線２ａ（例えば、インターネット、等の有線及び／又は無線のネットワーク）を介して相互に交信可能な情報発信者の情報発信者端末４、５、６及び、サーバ装置１と通信回線２ｂ（例えば、インターネット、等の有線及び／又は無線のネットワーク）を介して相互に交信可能で、情報発信者の情報発信者端末４、５、６から発信された連絡情報を、サーバ装置１を介して取得する複数の情報受信者の情報受信者端末４ａ、４ｂ、４ｃ、５ａ、５ｂ、５ｃとから構成されている。
【００４１】
サーバ装置１は、この発明の携帯端末を利用した連絡網システムを提供する者が通信回線２ａ、２ｂ等に接続可能に設置するものである。
【００４２】
情報発信者端末４、５、６は、この発明の携帯端末を利用した連絡網システムを提供する者と契約を結び、複数の情報受信者に対して情報を発信する複数の情報発信者がそれぞれ使用、利用するものである。
【００４３】
情報受信者端末４ａ、４ｂ、４ｃ、５ａ、５ｂ、５ｃは、前記の情報発信者からそれぞれ情報を受信する情報受信者がそれぞれ利用、使用するものである。
【００４４】
図１中、通信回線２ａ、２ｂは異なるものにように描かれているが、同一の通信回線であってもよい。
【００４５】
情報発信者の情報発信者端末４、５、６は、通信機能を有するパーソナルコンピュータや、携帯電話、ＰＤＡなどによって実現できるので、通信回線２ａとしては、例えば、有線のネットワークからなる通信回線、基地局との間が無線で、基地局とサーバ装置１との間が有線のネットワークからなる通信回線、情報発信者端末４、５、６とサーバ装置１との間をつなぐ無線のネットワーク等、インターネットをはじめとして種々の通信回線が使用される。
【００４６】
情報受信者端末４ａ、４ｂ、４ｃ、５ａ、５ｂ、５ｃは、携帯電話や、ＰＤＡのような、通信機能を有する携帯端末によって実現されるので、通信回線２ｂとしては、例えば、基地局３ａ、３ｂとの間が無線で、基地局３ａ、３ｂとサーバ装置１との間が有線や無線のネットワークからなる通信回線、等、インターネットをはじめとして種々の通信回線が使用される。
【００４７】
図１では、情報発信者の情報発信者端末４、５、６のみが表示されているが、これは、例えば、３つの情報発信者（例えば、小学校、中学校などの教育機関や、企業など）が存在していて、それぞれが所有しているパーソナルコンピュータや、携帯電話、ＰＤＡなどからなる情報発信者端末４、５、６を介して本発明のシステムが利用される場合を表しているものであり、本発明のシステムを利用する情報発信者が更に多数存在する場合には、更に多くの情報発信者端末が、ネットワーク２ａを介してサーバ装置１に相互交信可能に接続されることになる。
【００４８】
また、図１では、情報受信者端末４ａ、４ｂ、４ｃ、５ａ、５ｂ、５ｃのみが表示されているが、これは、情報発信者端末４を利用する情報発信者から発信される連絡情報を、サーバ装置１を介して取得する情報受信者（例えば、小学校、中学校などにおける生徒の保護者や、企業における従業員など）が３名いて、この３名がそれぞれ、自己の所有する携帯電話や、ＰＤＡのような、通信機能を有する携帯端末である情報受信者端末４ａ、４ｂ、４ｃを用いて、ネットワーク２ｂを介してサーバ装置１に相互交信可能に接続し、情報発信者端末５を利用する情報発信者から発信される連絡情報をサーバ装置１を解して取得する情報受信者が３名いて、この３名がそれぞれ、自己の所有する携帯電話や、ＰＤＡのような、通信機能を有する携帯端末である情報受信者端末５ａ、５ｂ、５ｃを用いて、ネットワーク２ｂを介してサーバ装置１に相互交信可能に接続している場合を表すものである。
【００４９】
情報発信者端末４、５を利用する情報発信者から発信される連絡情報を、サーバ装置１を介して取得する情報受信者が更に多数になれば、情報受信者端末４ａ、４ｂ、４ｃ、５ａ、５ｂ、５ｃの数もそれに応じて多くなることはいうまでもない。
【００５０】
前記のコンピュータからなるサーバ装置１は、コンピュータにおけるＲＯＭ等の記憶部に記憶されている所定のコンピュータプログラムの下に、コンピュータのＣＰＵなどの演算処理部が以下に説明する処理動作を実行することによって実現されている、情報受信者情報記録手段１１、情報受信者識別情報確認手段１２、連絡情報記録手段１３、連絡情報送信出力部１４、待機情報取得受信者情報生成部１５、大容量データ取得先情報記録手段１６、アプリケーションプログラム送信手段１７、使用料金精算処理部１８を備えている。
【００５１】
情報受信者情報記録手段１１は、複数の情報受信者に対してそれぞれ割り当てられている当該情報受信者を特定する情報受信者識別情報を、当該複数の情報受信者を対象として情報を発信する情報発信者を特定する情報発信者識別情報に関連付けて利用者情報記憶部１９ａに記録する処理動作を行う。
【００５２】
情報受信者識別情報確認手段１２は、情報取得部１０で情報受信者の情報受信者端末４ａ、４ｂ、４ｃ、等から通信回線２ｂを介して情報受信者識別情報が付帯された登録要請情報を取得したときに、利用者情報記憶部１９ａに記録されている情報を参照して認証を行い、当該情報受信者端末４ａ、４ｂ、４ｃ、等に対して通信回線２ｂを介してサービス開始情報を送信する処理動作を行う。
【００５３】
連絡情報記録手段１３は、情報取得部１０で情報発信者の情報発信者端末４、５、６、等から通信回線２ａを介して取得した連絡情報を、当該情報発信者を特定する情報発信者識別情報に関連付けて待機連絡情報として連絡情報記憶部１９ｂに記録する処理動作を行う。
【００５４】
連絡情報送信出力部１４は、情報取得部１０で情報受信者の情報受信者端末４ａ、４ｂ、４ｃ、等から通信回線２ｂを介して待機連絡情報問い合わせ情報を取得したときに、当該待機連絡情報問い合わせ情報を送信してきた情報受信者の情報受信者端末４ａ、４ｂ、４ｃ、等に、当該待機連絡情報問い合わせ情報に付帯されている前記情報受信者を特定する情報受信者識別情報と、前記利用者情報記憶部１９ａ、連絡情報記憶部１９ｂに記録されている情報を利用して、当該待機連絡情報問い合わせ情報を通信回線２ｂを介して送信してきた情報受信者に送信する待機連絡情報を、前記通信回線２ｂを介して前記情報受信者端末４ａ、４ｂ、４ｃ、等へ送信する処理動作を行う。
【００５５】
待機情報取得受信者情報生成部１５は、連絡情報記憶部１９ｂに記録されている待機連絡情報について、当該待機連絡情報に関連付けられて記録されている情報発信者が情報を発信する対象としている複数の情報受信者の中で、当該待機連絡情報の配信を受けた情報受信者を記録する処理動作を行う。
【００５６】
大容量データ取得先情報記録手段１６は、連絡情報を送信してきた情報発信者から取得した、連絡情報を取得する情報受信者が情報取得のためにアクセスするアクセス先に関する情報を記録する処理を行う。
【００５７】
アプリケーションプログラム送信手段１７は、情報受信者識別情報確認手段１２が前記サービス開始情報を情報受信者の情報受信者端末４ａ、４ｂ、４ｃ、等へ送信する際に、情報受信者の情報受信者端末４ａ、４ｂ、４ｃ、等に配備されているＣＰＵなどの演算処理部に、後述する情報受信者識別情報登録処理部４１、待機連絡情報問い合わせ処理部４２、待機連絡情報問い合わせ手段制御部４３、待機連絡情報受信報知処理部４４が行う各処理動作を実行させるべく、情報受信者端末４ａ、４ｂ、４ｃ、等に配備されているＲＯＭなどの記憶部に記録される所定のコンピュータプログラム（アプリケーションプログラム）を当該サービス開始情報に付帯させる処理動作を行う。
【００５８】
なお、前記のコンピュータプログラム（アプリケーションプログラム）は、コンピュータを、サーバ装置１からサービス開始情報を取得したときに、前記情報受信者識別情報を、情報受信者端末４ａ、４ｂ、４ｃ、等の記憶部に記録する処理を行う手段、あらかじめ定められている時間ごとに、サーバ装置１に対して、無線のネットワークを介して、待機連絡情報問い合わせ情報を発信する処理を行う手段、待機連絡情報問い合わせ情報を発信する処理を行う手段を起動状態または非起動状態に切り替えると共に、起動状態の場合に、前記待機連絡情報問い合わせ情報を発信する時間間隔を調整する処理を行う手段、無線のネットワークを介してサーバ装置１から待機連絡情報を取得した際に待機連絡情報を受信したことを通知する処理を行う手段として機能させるためのプログラムである。
【００５９】
使用料金精算処理部１８は、この発明の携帯端末を利用した連絡網システムを提供する者と情報発信者とが利用契約を結んだ際の内容などにしたがって、例えば、所定の期間ごと（例えば、１ヶ月ごと）に各情報発信者に請求する固定の使用料金を算出したり、実使用者数のカウントにより各情報発信者に請求する使用料金を算出する処理を行う。
【００６０】
一方、情報受信者の情報受信者端末４ａ、４ｂ、４ｃ、５ａ、５ｂ、５ｃ、等は、図３に説明するように、これらに配備されているＣＰＵなどの演算処理部が、当該情報受信者端末に配備されているＲＯＭなどの記憶部に記録されている所定のコンピュータプログラムの下に、以下に説明する処理動作を行うことによって実現される情報受信者識別情報登録処理部４１、待機連絡情報問い合わせ処理部４２、待機連絡情報問い合わせ手段制御部４３、待機連絡情報受信報知処理部４４を備えている。
【００６１】
情報受信者識別情報登録処理部４１は、情報受信者端末４ａ、４ｂ、４ｃ、５ａ、５ｂ、５ｃ、等の情報取得部４０が、サーバ装置１からサービス開始情報を取得したときに、前記情報受信者識別情報を、当該情報受信者端末４ａ、４ｂ、４ｃ、５ａ、５ｂ、５ｃ、等の記憶部に記録する処理動作を行う。
【００６２】
待機連絡情報問い合わせ処理部４２は、あらかじめ定められている時間ごとに、サーバ装置１に対して、通信回線２ｂを介して、待機連絡情報問い合わせ情報を発信する処理動作を行う。
【００６３】
待機連絡情報問い合わせ手段制御部４３は、待機連絡情報問い合わせ処理部４２を起動状態または非起動状態に切り替えると共に、起動状態の場合に、待機連絡情報問い合わせ情報を発信する時間間隔を調整する処理動作を行う。
【００６４】
待機連絡情報受信報知処理部４４は、通信回線２ｂを介して、サーバ装置１から待機連絡情報を取得した際に、待機連絡情報を受信したことを通知する（例えば、音声や、携帯電話の液晶画面に画像表示する、等して通知する）処理動作を行う。
【００６５】
次に、図４を利用して本発明のシステムが利用開始されるまでの工程を説明する。
【００６６】
この発明の携帯端末を利用した連絡網システムを提供する者と契約を結び、複数の情報受信者に対して情報を発信する複数の情報発信者には、それぞれ、情報発信者を特定する情報発信者識別情報（情報発信者ＩＤ）が与えられ、一方、各情報発信者が、情報を発信する対象となる複数の情報取得者に対しても、それぞれ、各情報受信者を特定する情報受信者識別情報（情報受信者ＩＤ）が与えられる（ステップ４０１）。
【００６７】
そこで、サーバ装置１においては、情報受信者情報記録手段１１によって、複数の情報受信者に対してそれぞれ割り当てられている当該情報受信者を特定する情報受信者識別情報（情報受信者ＩＤ）を、当該複数の情報受信者を対象として情報を発信する情報発信者を特定する情報発信者識別情報（情報発信者ＩＤ）に関連付けて利用者情報記憶部１９ａに記録する処理が行われる（ステップ４０２）。
【００６８】
例えば、図５（ａ）は、利用者情報記憶部に記憶されるデータの一例、図５（ｂ）は、利用者情報記憶部に記憶されるデータの他の一例を、それぞれ、表す図であるが、これらに例示するように、情報発信者ＩＤと、情報受信者ＩＤとが関連付けられて、サーバ装置１に備えられている記憶手段である利用者情報記憶部１９ａに記録される。
【００６９】
一方、情報発信者は、情報を発信する対象になっている各情報受信者に、当該情報受信者に対して割り当てられている当該情報受信者を特定する情報受信者識別情報（情報受信者ＩＤ）と、通信回線２ｂを介してサーバ装置１にアクセスするために必要なアクセス先に関する情報（例えば、ＵＲＬ）を通知する。
【００７０】
そこで、各情報受信者が、その情報受信者端末４ａなどから、通信回線２ｂを介してサーバ装置１にアクセスし、登録要請情報を送信する（ステップ４０３）。
【００７１】
サーバ装置１では、前記の情報受信者端末４ａなどに対して通信回線２ｂを介してサービス開始情報を送信する（ステップ４０４）。
【００７２】
なお、こうして、情報受信者識別情報確認手段１２がサービス開始情報を情報受信者の情報受信者端末４ａ等へ送信する際に、アプリケーションプログラム送信手段１７によって、前述したアプリケーションプログラムが当該サービス開始情報に付帯される。
【００７３】
前記の情報受信者端末４ａなどが通信回線２ｂを介してアプリケーションプログラムが付帯されているサービス開始情報をその情報取得部４０で取得すると、アプリケーションプログラムがＲＯＭなどの記憶部に記憶され、その際に情報受信者識別情報（受信者ＩＤ）の入力を促されるので情報受信者は当該情報受信者を特定する情報受信者識別情報（情報受信者ＩＤ）を入力する（ステップ４０５）。
【００７４】
すると情報受信者識別情報登録処理部４１によって、情報受信者識別情報（情報受信者ＩＤ）を予め指定されている形式か否かをチェックがおこなわれる（ステップ４０６）。
【００７５】
チェックの結果、情報受信者識別情報（情報受信者ＩＤ）が指定された形式であれば情報受信者識別情報（受信者ＩＤ）を、当該情報受信者端末４ａなどの記憶部に記録する処理動作が行われる（ステップ４０７）。
【００７６】
こうして、本発明のシステムが利用開始されるまでの工程が完了する。
【００７７】
ついで、図６を参照して、本発明のシステムが利用されている状態を説明する。
【００７８】
情報発信者が、その情報受信者端末４から、通信回線２ａを介してサーバ装置１にアクセスし、情報受信者ＩＤと発信者権限別パスワードを送信する。
【００７９】
サーバ装置１では、情報受信者ＩＤと発信者権限別パスワードを情報取得部１０で取得すると、情報受信者識別情報確認手段１２が、利用者情報記憶部１９ａに記録されている情報を参照して認証を行う。
【００８０】
認証の結果、送信された情報受信者ＩＤと発信者権限別パスワードが利用者情報記憶部１９ａに記録されているものであれば、前記の情報受信者端末４から通信回線２ａを介して、連絡情報をサーバ装置１に送る（ステップ６０１）。
【００８１】
サーバ装置１では、連絡情報記録手段１３により、情報取得部１０で情報発信者の情報発信者端末４から通信回線２ａを介して取得した連絡情報を、当該情報発信者を特定する情報発信者識別情報（発信者ＩＤ）に関連付けて待機連絡情報として連絡情報記憶部１９ｂに記録する（ステップ６０２）。例えば、図７のように記録される。
【００８２】
なお、この際、連絡情報のデータ量が大きい場合には、連絡情報を取得する情報受信者が情報取得のためにアクセスするアクセス先に関する情報を、情報発信者が情報発信者端末４から、通信回線２ａを介して連絡情報をサーバ装置１へ送り、大容量データ取得先情報記録手段１６によって、前記のアクセス先に関する情報が記録される。
【００８３】
一方、情報発信者端末４を利用、使用する情報発信者から発信される情報を受信することになっている情報受信者は、その情報受信者端末４ａなどから、待機連絡情報問い合わせ処理部４２により、あらかじめ定められている時間ごとに、サーバ装置１に対して、通信回線２ｂを介して、待機連絡情報問い合わせ情報が発信される（ステップ６０３）。
【００８４】
待機連絡情報問い合わせ情報を、通信回線２ｂを介して情報受信者端末４ａなどから受信したサーバ装置１では、連絡情報送信出力部１４により、当該待機連絡情報問い合わせ情報に付帯されている情報受信者ＩＤと、利用者情報記憶部１９ａ、連絡情報記憶部１９ｂに記録されている情報を利用して、当該情報受信者ＩＤで特定される情報受信者に対して配信すべき待機連絡情報が連絡情報記憶部１９ｂに記録されているかどうか確認し、記録されていない場合にはその旨を、当該待機連絡情報問い合わせ情報を送信してきた情報受信者の情報受信者端末４ａ等へ通信回線２ｂを介して送信する。一方、配信すべき待機連絡情報が連絡情報記憶部１９ｂに記録されている場合には、当該待機連絡情報問い合わせ情報を送信してきた情報受信者の情報受信者端末４ａ等に、当該待機連絡情報問い合わせ情報を送信してきた情報受信者に送信する待機連絡情報を、通信回線２ｂを介して送信する（ステップ６０４）。
【００８５】
また、この際、待機情報取得受信者情報生成部１５によって、連絡情報記憶部１９ｂに記録されている待機連絡情報について、当該待機連絡情報に関連付けられて記録されている情報発信者が情報を発信する対象としている複数の情報受信者の中で、当該待機連絡情報の配信を受けた情報受信者を記録する処理が行われ（ステップ６０５）、図７図示のようなデータとして保存される。
【００８６】
一方、情報受信者端末４ａ等では、待機連絡情報受信報知処理部４４により、通信回線２ｂを介して、サーバ装置１から待機連絡情報を取得した際に、待機連絡情報を受信したことが通知される（例えば、音声や、携帯電話の液晶画面に画像表示する、等して通知される）（ステップ６０６）。
【００８７】
情報発信者が、複数の情報受信者の中の誰がまだ情報を受信していないか、だれに情報が配信されたのかを把握することを希望するときには、通信回線２ａを介してサーバ装置１へアクセスし、情報発信者ＩＤと発信者権限別パスワードを送信し、サーバ装置１が、情報発信者ＩＤと発信者権限別パスワードを情報取得部１０で取得し、不図示の情報発信者識別情報確認手段が、利用者情報記憶部１９ａに記録されている情報を参照して認証を行い、認証の結果、送信された情報発信者ＩＤと発信者権限別パスワードが利用者情報記憶部１９ａに記録されているものであれば、情報発信者端末４からの問い合わせ情報を受付け（ステップ６０７）、前記の待機情報取得受信者情報生成部１５が行っていた処理動作の結果に基づき、待機連絡情報の配信を受けた情報受信者を把握することができる。
【００８８】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【００８９】
【図１】この発明の携帯端末を利用した連絡網システムのシステム構成の一例を説明する概念図。
【図２】この発明の携帯端末を利用した連絡網システムにおけるサーバ装置のシステム構成の一例を説明する概念図。
【図３】この発明の携帯端末を利用した連絡網システムにおける情報受信者端末のシステム構成の一例を説明する概念図。
【図４】この発明の携帯端末を利用した連絡網システムを利用可能になるまでの工程の一例を説明するフロー図。
【図５】（ａ）利用者情報記憶部に記憶されるデータの一例を表す図、（ｂ）利用者情報記憶部に記憶されるデータの他の一例を表す図。
【図６】この発明の携帯端末を利用した連絡網システムが利用されている状態を説明する概念図。
【図７】（ａ）連絡情報記憶部に記憶されるデータの一例を表す図、（ｂ）連絡情報記憶部に記憶されるデータの他の一例を表す図。
【符号の説明】
【００９０】
１  サーバ装置
２ａ、２ｂ  通信回線
４、５、６  情報発信者端末
３ａ、３ｂ  基地局
４ａ、４ｂ、４ｃ、５ａ、５ｂ、５ｃ  情報受信者端末
１１  情報受信者情報記録手段
１２  情報受信者識別情報確認手段
１３  連絡情報記録手段
１４  連絡情報送信出力部
１５  待機情報取得受信者情報生成部
１６  大容量データ取得先情報記録手段
１７  アプリケーションプログラム送信手段
１８  使用料金精算処理部
１９ａ  利用者情報記憶部
１９ｂ  連絡情報記憶部
４１  情報受信者識別情報登録処理部
４２  待機連絡情報問い合わせ処理部
４３  待機連絡情報問い合わせ手段制御部
４４  待機連絡情報受信報知処理部
【図１】
0004700502.tif 000002
【図２】
0004700502.tif 000003
【図３】
0004700502.tif 000004
【図４】
0004700502.tif 000005
【図５】
0004700502.tif 000006
【図６】
0004700502.tif 000007
【図７】
0004700502.tif 000008